(57)【要約】【課題】作業に多くの手間を要することなく脚ボルトを確実にロックできると共に作業口を小さくすることができるようにする。【解決手段】雌ねじ部４が設けられた脚支持部３を防水パン２の裏側Ｂに設け、雌ねじ部４に高さ調整用脚ボルト５を進退自在に螺合させると共に脚ボルト５にロックナット６を螺合させ、防水パン２の表側から脚ボルト５の上端側を臨むことができるように回動操作具挿通用の高さ調整用開口部７をパン表側Ａに開設し、脚ボルト５の近傍の防水パン２の部位にパン表裏側を連通させる作業口８を開設し、高さ調整用開口部７及び作業８口を同時に止水状態で覆う着脱可能な蓋体９を防水パン２の表側Ａに設けたこと。【選択図】図２
2011047125.tif 000002
【特許請求の範囲】
【請求項１】
雌ねじ部が設けられた脚支持部を防水パンの裏側に設け、雌ねじ部に高さ調整用脚ボルトを進退自在に螺合させると共に脚ボルトにロックナットを螺合させた防水パンの高さ調整装置において、防水パンの表側から脚ボルトの上端側を臨むことができるように回動操作具挿通用の高さ調整用開口部をパン表側に開設し、脚ボルトの近傍の防水パンの部位にパン表裏側を連通させる作業口を開設し、高さ調整用開口部及び作業口を同時に止水状態で覆う着脱可能な蓋体を防水パンの表側に設けたことを特徴とする防水パンの高さ調整装置。
【請求項２】
平面状態において、脚ボルトの中心と作業口の図心とを結ぶ仮想直線が、防水パンの直線状縁と略４５度又は略直角で交差すると共に、作業者の作業位置となる作業者領域の中心を通過する請求項１記載の防水パンの高さ調整装置。
【請求項３】
高さ調整用開口部及び作業口を囲む起立周壁部を防水パンの表側に突設し、この起立周壁部の円形の外周面に、蓋体の周壁部における円形の内周面を円環状の止水パッキンを介して外嵌させた請求項１又は２記載の防水パンの高さ調整装置。
【発明の詳細な説明】
【技術分野】
【０００１】
本発明は、浴室ユニット用防水パン、シャワーユニット用防水パン等のユニットルームの防水パンの高さ調整装置に関するものであって、防水パンの据付け高さの調整作業、及び、高さ調整後に高さ調整用の脚ボルトを回動不能にするロック作業や防水パンが左右前後に位置ずれしないように脚ボルトの下端側を設置床部へ接着固定する固定作業を、全て防水パン上から行うことのできる防水パンの高さ調整装置に関するものである。
【背景技術】
【０００２】
従来の防水パンの高さ調整装置は、ナット部が設けられた脚支持部を防水パン裏側に固定し、ナット部に高さ調整用脚ボルトを螺合し、防水パン上から脚ボルトを調整することができるように高さ調整用開口部を脚ボルトの上方のパン部分に設け、ナット部の上側の脚支持部に、上方を開放し、かつ、脚ボルトを囲うように溜まり部を形成し、脚ボルトと設置床部とを固定するための接着剤流路を溜まり部に隣接して設け、高さ調整用開口部より接着剤を流し込んで、溜まり部に接着剤を溜めて硬化させることにより、脚ボルトを脚支持部にロックすると共に、溜まり部からオーバーフローした接着剤を接着剤流路へ流して脚ボルトと設置床部とを固定し、高さ調整用開口部を蓋で覆い止水性を確保するようにしてある（特許文献１）。
【０００３】
また、他の防水パンの高さ調整装置は、防水パンの裏面から下方に向けて脚ボルトが垂設され、防水パンの脚ボルト近傍の底面部の一部に、脚ボルトと対向する端部に至るまで、底面部の他の部分よりも高くなった段部を形成すると共に、段部の脚ボルト近傍の部分に作業口（点検口）を設け、作業口を介して、防水パンの据付け高さの調整作業、及び、高さ調整後の脚ボルトのロック作業及び脚ボルトと設置床部との固定作業を行い、作業口を蓋板にて開閉自在に閉塞して止水性を確保してある（特許文献２）。
【先行技術文献】
【特許文献】
【０００４】
【特許文献１】特開平１０−１９９０号公報
【特許文献２】特開２００２−９７６９２号公報
【発明の概要】
【発明が解決しようとする課題】
【０００５】
特許文献１に記載の高さ調整装置は、脚ボルトの回転防止のために接着剤を用いて脚ボルトを固定しているため、ロックナットで固定する場合に比べて確実性が劣り、ガタツキや音なりの原因となる問題がある。
【０００６】
特許文献２に記載の高さ調整装置は、作業口を介して、防水パンの据付け高さの調整作業及び高さ調整後の脚ボルトのロック作業を行なうため、これら作業に多くの手間を必要とすると共に、殊にロック作業時に脚ボルトを共回りさせないように二本のレンチ等の工具をパン裏側へ挿入しなければならないので、作業口の開口面積を大きくする必要があり、その分防水パンの強度が低下する問題がある。
【０００７】
本発明は、上記問題を解決するために、作業に多くの手間を要することなく脚ボルトを確実にロックできると共に作業口を小さくすることができる防水パンの高さ調整装置の提供を目的とする。
【課題を解決するための手段】
【０００８】
作業に多くの手間を要することなく脚ボルトを確実にロックできると共に作業口を小さくすることができるようにするために請求項１記載の本発明が採用した手段は、図２に示す如く、雌ねじ部４が設けられた脚支持部３を防水パン２の裏側Ｂに設け、雌ねじ部４に高さ調整用脚ボルト５を進退自在に螺合させると共に脚ボルト５にロックナット６を螺合させた防水パンの高さ調整装置において、防水パン２の表側Ａから脚ボルト５の上端側を臨むことができるように回動操作具挿通用の高さ調整用開口部７をパン表側Ａに開設し、脚ボルト５の近傍の防水パン２の部位にパン表裏側を連通させる作業口８を開設し、高さ調整用開口部７及び作業８口を同時に止水状態で覆う着脱可能な蓋体９を防水パン２の表側Ａに設けたことを特徴とする防水パンの高さ調整装置である。
【０００９】
請求項１記載の本発明にあっては、パン表側から高さ調整用開口部へ挿通して脚ボルトへ至るボルト回動操作具をパン表側で操作することで、パン裏側へ手を挿入することなく脚ボルトを回動調整して防水パンの据付け高さの調整作業ができ、このボルト回動操作具で脚ボルトの共回りを防止しつつ作業口を介してパン表側からパン裏側へ挿入したロックナット回動操作具でロックナットを締め付けてロック作業ができ、また、一つの蓋体で高さ調整用開口部及び作業口を止水状態で同時に覆うことができる。
【００１０】
ロック作業が楽にできるようにするために請求項２記載の本発明が採用した手段は、図１（Ａ）及び図８（Ａ）に示す如く、平面状態において、脚ボルト５の中心５ａと作業口８の図心８ａとを結ぶ仮想直線Ｌが、防水パン２の直線縁２ａと略４５度（図１（Ａ）のθ参照）又は略直角（図８（Ａ）θ参照）で交差すると共に、作業者の作業位置となる作業者領域Ｓの中心Ｓａを通過する請求項１記載の防水パンの高さ調整装置である。
【００１１】
高さ調整用開口部及び作業口を確実に止水するために請求項３記載の本発明が採用した手段は、図２及び図８（Ｂ）に示す如く、高さ調整用開口部７及び作業口８を囲む起立周壁部１０を防水パン２の表側Ａに突設し、この起立周壁部１０の円形の外周面１０ａに、蓋体９の周壁部９ａにおける円形の内周面９ｂを円環状の止水パッキン１１を介して外嵌させた請求項１又は２記載の防水パンの高さ調整装置である。
【発明の効果】
【００１２】
請求項１記載の本発明に係る防水パンの高さ調整装置は、パン表側で回動操作具を操作して防水パンの据付け高さの調整作業ができると共に、このボルト回動操作具及びパン裏側へ挿入したロックナット回動操作具でロック作業ができ、更に一つの蓋体で高さ調整用開口部及び作業口を止水状態で同時に覆う作業ができるため、作業に多くの手間を必要としない。また、本発明に係る防水パンの高さ調整装置は、ロック作業時にパン裏側へ挿入するものがロックナット回動操作具のみであるため、従来の二本のレンチ等の工具をパン裏側へ挿入するのに比べて作業口の開口面積を大きくする必要がなくなり、防水パンの強度を低下させないようにできる。
【００１３】
請求項２記載の本発明に係る防水パンの高さ調整装置は、防水パンの直線縁とは略４５度又は略直角はで交差する仮想直線上に、脚ボルトの中心、作業口の図心及び作業者領域の中心が位置するため、ロック作業を行なう作業者の体と脚ボルトの中心と作業口の図心が一直線上に並び、脚ボルトの位置が防水パンの左側又は右側に関係なく同じ姿勢で作業が楽にでき、殊に右利き左利きに関係なく楽にできる。
【００１４】
請求項３記載の本発明に係る防水パンの高さ調整装置は、嵌合関係となる起立周壁部の外周面及び蓋体の内周面が円形で且つ止水パッキンが円環状であるため、高さ調整用開口部及び作業口を確実に止水できる。
【図面の簡単な説明】
【００１５】
【図１】本発明の第１の実施の形態を示すものであって、図（Ａ）は平面図、図（Ｂ）は図（Ａ）のｂ−ｂ線で断面した正面図ある。
【図２】図１（Ａ）のＩＩ−ＩＩ線で断面した拡大図で、蓋体が分離した状態を示す。
【図３】第１の実施の形態の要部を示す斜視図であって、蓋体が分離した状態を示す。
【図４】第１の実施の形態を示すものであって、図（Ａ）は蓋体が係合した状態の縦断面図、図（Ｂ）は同状態の底面図である。
【図５】第１の実施の形態を示すものであって、蓋体が螺着した状態の縦断面図である。
【図６】第１の実施の形態の要部を示す斜視図であって、ビス止めする蓋体が分離した状態を示す。
【図７】第２の実施の形態を示すものであって、図（Ａ）は平面図、図（Ｂ）は蓋体を単に嵌合して覆う態様の斜視図、図（Ｃ）は蓋体をビス止めする態様の斜視図である。
【図８】本発明の第３の実施の形態を示すものであって、図（Ａ）は平面図、図（Ｂ）は図（Ａ）のｂ−ｂ線で断面した側面図である。
【発明を実施するための形態】
【００１６】
本発明に係る防水パンの高さ調整装置（以下、「本発明高さ調整装置」と言う。）を図面に示す実施形態に基づいて説明する。
【００１７】
（第１の実施の形態）
図１乃至図６に示す第１の実施の形態に係る本発明高さ調整装置１は、図２に示す如く、防水パン２の裏側Ｂに設けられた雌ねじ部４を有する脚支持部３と、雌ねじ部４に進退自在に螺合させた高さ調整用脚ボルト５と、脚ボルト５に螺合したロックナット６とを備え、防水パン２の表側Ａから脚ボルト５の上端側を臨むことができるように回動操作具挿通用の高さ調整用開口部７をパン表側Ａに開設すると共に、脚ボルト５の近傍の防水パン２の部位にパン表裏側を連通させる作業口８を開設し、高さ調整用開口部７及び作業口８を同時に止水状態で覆う着脱可能な蓋体９を防水パン２の表側Ａに設けてある。
【００１８】
本例の防水パン２は、図１（図（Ａ）は蓋体９を装着した状態の本発明高さ調整装置１を図中の上方に示し、蓋体９を取り去った状態の本発明高さ調整装置１を図中の下方に示すものである。）に示す如く、浴槽設置用のものであって、連接する洗い場用防水パン１２とで浴室ユニット用防水パンを形成し、直線縁２ａに沿って形成した壁パネル設置部１３に壁パネル１４（図１（Ｂ）参照）を設置できるようにしてある。防水パン２は、図２及び図３に示す如く、排水口２ｂを開設した底部２ｃより高い位置に縁側部２ｄを形成し、この縁側部２ｄから表側Ａに向かって起立周壁部１０を突設して、起立周壁部１０の外周面１０ａで高さ調整用開口部７及び作業口８を囲むようにしてある。起立周壁部１０は、一部に厚肉部１０ｂを形成すると共に、他の部分に薄肉部１０ｆを形成してある。本例の本発明高さ調整装置１は、起立周壁部１０の厚肉部１０ｂに脚支持部３を形成し、厚肉部１０ｂの上面に高さ調整用開口部７を開口すると共に、起立周壁部１０の厚肉部１０ｂ及び薄肉部１０ｆで囲まれる内側に作業口８を開口することで、脚支持部３から垂下する脚ボルト５に作業口８を接近させて後述するロック作業をし易くすると共に、作業口８の開口面積を小さくできるようにしてある。高さ調整用開口部７及び作業口８は、防水パン２の底部２ｃより高い位置で開口することで、防水パン２で受け止めた漏水を浸入させないようにできる。
【００１９】
前記脚支持部３は、図２に示す如く、起立周壁部１０に設けたボス部３ａに、ナットを埋設するか又はタッピングして雌ねじ部４を形成すると共に、脚ボルト５の上端側を進退させるための逃げ空間１６を形成し、逃げ空間１６へ連通する高さ調整用開口部７を開設してある。前記脚ボルト５は、その上端に工具差込み用の凹部５ａが形成され、高さ調整用開口部７を通じて挿入されたドライバー又は六角棒レンチ等の回動操作具（図示略）の先端部を係合させるようにしてある。前記ロックナット６は、後述するロック作業で雌ねじ部４に圧着するように締め付けられてロック状態となる。
【００２０】
前記蓋体９は、図２に示す如く、天板部９ｃの外周縁から環状周壁部９ｂを突設するようにして形成され、周壁部９ｂの内周面９ｂに環状の止水パッキン１１を配置してある。止水パッキン１１は、外側の環状基部１１ａから内側へ向かって複数条の環状薄肉部１１ｂを突設させ、環状薄肉部１１ｂを弾性変形させて起立周壁部１０の外周面１０ａに密着するようにしてある。本例は、起立周壁部１０の円形の外周面１０ａに、蓋体９の周壁部９ａにおける円形の内周面９ｂを円環状の止水パッキン１１を介して外嵌させ、高さ調整用開口部７及び作業口８を確実に止水できる。なお、止水パッキン１１は、蓋体９に取着することなく、起立周壁１０の外周面に取着させておく（図示略）ことも勿論可能である。
【００２１】
前記蓋体９を離脱し難くするために本発明高さ調整装置１は、図４に示す如く、起立周壁部１０の上端内側に係止片１０ｃと切欠き部１０ｄを設けると共に、蓋体９の周壁部９ａの下端内側に対応する係止片９ｄを設け、蓋体９の装着に当たり、起立周壁部１０の切欠き部１０ｄへ蓋体９の係止片９ｄを通過させ（図（Ｂ）の非係止状態Ｄを参照）、その後に蓋体９を回転させることで、起立周壁部１０の係止片１０ｃと蓋体９の係止片９ｄを係合さて（図（Ｂ）の係止状態Ｃを参照）蓋体９の離脱を防止するようにしてある。
【００２２】
また、本発明高さ調整装置１は、蓋体９を離脱し難くする別態様として、図５に示す如く、起立周壁部１０の外周面に雄ねじ部１０ｅを設けると共に、蓋体９の周壁部９ａにおける内周面に雌ねじ部９ｅを設け、両ねじ部１０ｅ，９ｅを螺合させるように蓋体９を装着させて、起立周壁部１０と蓋体９の間に配置した止水パッキン１７を圧着して止水させるようにすることもある。
【００２３】
また、本発明高さ調整装置１は、蓋体９を離脱し難くする更に別態様として、図６に示す如く、蓋体９に設けた環状フランジ９ｆを防水パン２に複数本のビス１８で止め付けるようにすることもある。
【００２４】
ロック作業が楽にできるようにするために本発明高さ調整装置１は、図１（Ａ）に示す如く、平面状態において、脚ボルト５の中心５ａと作業口８の図心８ａ（作業口８の平面図形の重心）とを結ぶ仮想直線Ｌが、防水パン２の直線縁２ａとの交差角度θを略４５度にして交差すると共に、作業者Ｍの作業位置となる作業者領域Ｓの中心Ｓａを通過するにしてある。本発明高さ調整装置１は、防水パン２の直線縁２ａと略４５度で交差する仮想直線Ｌ上に、脚ボルト５の中心５ａ、作業口８の図心８ａ及び作業者領域Ｓの中心Ｓａが並ぶことで、脚ボルト５の位置が防水パン２の左側の内隅部又は右側の内隅部に関係なく同じ姿勢で作業が楽にでき、殊に右利き左利きに関係なく楽にできる。
【００２５】
本発明高さ調整装置１は、パン表側Ａから高さ調整用開口部７へ挿通して脚ボルト５へ至るドライバー等のボルト回動操作具（図示略）をパン表側Ａで操作することで、パン裏側Ｂへ手を挿入することなく脚ボルト５を回動調整して防水パン２の据付け高さの調整作業ができ、このボルト回動操作具で脚ボルト５の共回りを防止しつつ作業口８を介してパン表側Ａからパン裏側Ｂへ挿入したレンチ等のロックナット回動操作具（図示略）でロックナット６を締め付けてロック作業ができ、また、一つの蓋体８で高さ調整用開口部７及び作業口８を止水状態で同時に覆うことができる。本発明高さ調整装置１は、ロック作業時にパン裏側Ｂへ挿入するものがロックナット回動操作具のみであるため、従来の二本のレンチ等の工具をパン裏側へ挿入するのに比べて作業口８の開口面積を大きくする必要がなくなり、防水パン２の強度を低下させないようにすることができる。
【００２６】
（第２の実施の形態）
図７は第２の実施の形態に係る本発明高さ調整装置２１を示すものであり、図（Ａ）は蓋体９を装着した状態の本発明高さ調整装置２１を図中の上方に示し、蓋体９を取り去った状態の本発明高さ調整装置２１を図中の下方に示している。本実施の形態に係る本発明高さ調整装置２１は、作業口８を平面視状態で長円形にするために起立周壁部１０及び蓋体９を平面視状態で多角形（本例は五角形）にした点で前記第１の実施の形態と大きく異なり、その他の点については第１の実施の形態と実質的に同一であり、図７において図１乃至図６と同一符号は相当部分を示す。
【００２７】
前記作業口８は、防水パン２の直線縁２ａと略４５度で交差する仮想直線Ｌに対して長径８ｂ（図（Ａ）参照）が略直交するようにしてあり、ロック作業をより楽にできるようにしてある。蓋体９は、蓋体９の内周面又は起立周壁部１０の外周面１０ａに取着した止水パッキン（図示略）を介して起立周壁部１０に蓋体９を嵌合する場合（図（Ｂ）参照）と、蓋体９に設けた環状フランジ９ｆを防水パン２に複数本のビス１８で止め付けする場合（図（Ｃ）参照）とがある。
【００２８】
（第３の実施の形態）
図８は第２の実施の形態に係る本発明高さ調整装置３１を示すものであり、図（Ａ）は蓋体９を装着した状態の本発明高さ調整装置３１を図中の上方に示し、蓋体９を取り去った状態の本発明高さ調整装置３１を図中の下方に示している。本実施の形態に係る本発明高さ調整装置３１は、防水パン２の直線縁２ａに接近させて設けた点で前記第１の実施の形態と大きく異なり、その他の点については第１の実施の形態と実質的に同一であり、図８において図１乃至図６と同一符号は相当部分を示す。
【００２９】
本発明高さ調整装置３１は、図８（Ａ）に示す如く、平面状態において、脚ボルト５の中心５ａと作業口８の図心８ａとを結ぶ仮想直線Ｌが、防水パン２の直線縁２ａとの交差角度θを略直角にして交差すると共に、作業者Ｍの作業位置となる作業者領域Ｓの中心Ｓａを通過するにしてある。本発明高さ調整装置３１は、防水パン２の直線縁２ａと略直角で交差する仮想直線Ｌ上に、脚ボルト５の中心５ａ、作業口８の図心８ａ及び作業者領域Ｓの中心Ｓａが並ぶことで、脚ボルト５の位置が防水パン２の左右側（又は前後側）に関係なく同じ姿勢で作業が楽にでき、殊に右利き左利きに関係なく楽にできる。
【産業上の利用可能性】
【００３０】
本発明高さ調整装置１（２１，３１）は、浴室ユニット用防水パンの浴槽設置用防水パンに設ける以外に、シャワーユニット用防水パン等のユニットルームの防水パンに設けることも勿論可能である。
【符号の説明】
【００３１】
１（２１，３１）…本発明高さ調整装置、２…防水パン、２ａ…直線縁、３…脚支持部、３ａ…ボス部、４…雌ねじ部、５…高さ調整用脚ボルト、５ａ…中心、６…ロックナット、７…高さ調整用開口部、８…作業口、８ａ…図心、９…蓋体、９ａ…周壁部、９ｂ…内周面、１０…起立周壁部、１０ａ…外周面、１１…止水パッキン、１７…止水パッキン、１８…ビス、Ａ…パン表側、Ｂ…パン裏側、Ｌ…仮想直線、Ｍ…作業者、Ｓ…作業者領域、Ｓａ…中心
【図１】
2011047125.tif 000003
【図２】
2011047125.tif 000004
【図３】
2011047125.tif 000005
【図４】
2011047125.tif 000006
【図５】
2011047125.tif 000007
【図６】
2011047125.tif 000008
【図７】
2011047125.tif 000009
【図８】
2011047125.tif 000010